(57)【要約】      （修正有）【課題】冷蔵室と野菜室とを仕切る仕切体を取り外すことができる冷蔵庫を提供する。【解決手段】断熱箱体１１と、断熱箱体１１の内部に設けられた冷蔵空間２０を上下に仕切る仕切体４０とを備え、仕切体４０の上側に冷蔵室を設け、仕切体４０の下側に野菜室２４を設けた冷蔵庫１０において、仕切体４０は、冷蔵庫幅方向に２分割され左右一対の仕切部材５４，５６から構成され、一方の仕切部材５４には電気配線が配設され、他方の仕切部材５６が取り外し可能に断熱箱体１１に取り付けられている。【選択図】図２
2011012884.tif 000002
【特許請求の範囲】
【請求項１】
断熱箱体と、前記断熱箱体の内部に設けられた冷蔵空間を上下に仕切る仕切体とを備え、前記仕切体の上側に冷蔵室を設け、前記仕切体の下側に野菜室を設けた冷蔵庫において、
前記仕切体は、冷蔵庫幅方向に２分割され左右一対の仕切部材から構成され、一方の前記仕切部材には電気配線が配設され、他方の前記仕切部材が取り外し可能に前記断熱箱体に取り付けられていることを特徴とする冷蔵庫。
【請求項２】
前記他方の仕切部材の少なくとも一部が透明であることを特徴とする請求項１に記載の冷蔵庫。
【請求項３】
前記一方の仕切部材の側面に前記他方の仕切部材を載置する受け部が配設され、前記受け部には冷蔵庫前後方向に延びる凹溝が形成されていることを特徴とする請求項１又は２に記載の冷蔵庫。
【請求項４】
前記一方の仕切部材の上面に配設され前記冷蔵室の下方を左右に区画する縦仕切壁と、
前記縦仕切壁の下方に配置され前記一方の仕切部材に配設された補強部材と、を備えることを特徴とする請求項１〜３のいずれか１項に記載の冷蔵庫。
【発明の詳細な説明】
【技術分野】
【０００１】
本発明は、冷蔵室と野菜室を備えた冷蔵庫に関する。
【背景技術】
【０００２】
従来より、断熱箱体の内部に設けられた冷蔵空間の上部に最も貯蔵物収納容積の大きい冷蔵室を設け、この冷蔵室の下部に仕切体を介して野菜や果物を収納する野菜室を設け、最下部に冷凍室を設けた冷蔵庫が知られている（例えば、特許文献１参照）。
【０００３】
このような冷蔵庫では、自動製氷装置に給水する水を貯水する貯水タンクが冷蔵室の底面に配置され、貯水タンクの近傍に配設された給水ポンプに駆動電源を供給する電源線などの電気配線が冷蔵室と野菜室とを仕切る仕切体に配設されているため、この仕切体は取り外しできないように構成されている。
【先行技術文献】
【特許文献】
【０００４】
【特許文献１】特開２００３−１６６７８１号公報
【発明の概要】
【発明が解決しようとする課題】
【０００５】
しかしながら、上記のような冷蔵庫において、冷蔵室と野菜室とを仕切る仕切体は、使用頻度の高い冷蔵室の底面を構成しており汚れやすい部材であるにも関わらず、上記のように取り外しができないため、汚れた際に掃除が面倒である問題がある。
【０００６】
本発明は上記問題を考慮してなされたものであり、冷蔵室と野菜室とを仕切る仕切体を取り外すことができる冷蔵庫を提供することを目的とする。
【課題を解決するための手段】
【０００７】
本発明に係る冷蔵庫は、断熱箱体と、前記断熱箱体の内部に設けられた冷蔵空間を上下に仕切る仕切体とを備え、前記仕切体の上側に冷蔵室を設け、前記仕切体の下側に野菜室を設けた冷蔵庫において、前記仕切体は、冷蔵庫幅方向に２分割され左右一対の仕切部材から構成され、一方の前記仕切部材には電気配線が配設され、他方の前記仕切部材が取り外し可能に前記断熱箱体に取り付けられていることを特徴とする。
【発明の効果】
【０００８】
本発明では、上記構成により、冷蔵室と野菜室とを仕切る仕切体を取り外すことができ、該仕切体の掃除が容易となる。
【図面の簡単な説明】
【０００９】
【図１】本発明の第１実施形態に係る冷蔵庫の斜視図であって扉を開扉した状態を示す。
【図２】図１に示す冷蔵庫の扉を取り外した状態を示す斜視図である。
【図３】図１に示す冷蔵庫の要部を拡大して示す断面図である。
【図４】左側仕切部材を示す斜視図である。
【図５】右側仕切部材を示す斜視図である。
【図６】図１のＡ−Ａ断面図である
【図７】図１のＢ−Ｂ断面図である
【発明を実施するための形態】
【００１０】
以下、本発明の一実施形態について、図面を参照して説明する。
【００１１】
本発明の第１実施形態に係る冷蔵庫１０は、図１及び図２に示すように、外郭を形成する外箱と貯蔵空間を形成する内箱との間に発泡断熱材を充填した断熱箱体からなる冷蔵庫本体１１を備え、貯蔵空間を断熱仕切壁１２によって上方の冷蔵空間２０と下方の冷凍空間２１とに区画している。
【００１２】
冷蔵空間２０は、さらに仕切体４０によって上下に区画され、上部空間に複数段の載置棚を設けた冷蔵室２２が設けられ、下部空間に引き出し式の収納容器２５ａを配置する野菜室２４が設けられている。
【００１３】
野菜室２４の下方に配置した冷凍空間２１には、比較的小容積の自動製氷装置（不図示）を備えた製氷室２６と小型冷凍室２８を左右に併設しており、その下方には冷凍室３０が設けられている。
【００１４】
冷蔵室２２の開口部は、冷蔵庫本体１１の一側部の上下に設けられたヒンジにより回動自在に枢支された冷蔵室扉２３により閉塞されている。また、野菜室２４、製氷室２６、小型冷凍室２８、及び冷凍室３０の開口部は、引き出し式扉２５，２７，２９，３１により閉塞されている。各引き出し式扉２５，２７，２９，３１の裏面側に固着した左右一対の支持枠に収納容器が保持されており、開扉動作とともに庫外に引き出されるように構成されている。
【００１５】
冷蔵室２２と野菜室２４とを区画する仕切体４０は、冷蔵室２２の底面を構成しており、この仕切体４０の上方には、載置棚を兼ねた冷蔵庫全幅にわたる天板４２が配されている。仕切体４０と天板４２によって上下に区画された空間は、２つの縦仕切壁４４，４６によって冷蔵庫幅方向に３つに区画されている。
【００１６】
具体的には、本実施形態では、縦仕切壁４４が冷蔵室２２の一方側壁に寄せて配設され、縦仕切壁４６が冷蔵庫幅方向中央部付近に配設されている。冷蔵室２２の一方側壁（左側壁）と縦仕切壁４４に挟まれた空間は、製氷用水を貯水する貯水タンク１３を配設するタンク空間４８をなし、縦仕切壁４４と縦仕切壁４６に挟まれた空間は、引出式の収納容器１４を上下２段に重ねて配設する収納空間５０をなし、縦仕切壁４６と冷蔵室２２の他側壁（右側壁）に挟まれた空間は、引出式のチルド容器１５を配設するチルド空間５２をなしている。
【００１７】
一対の縦仕切壁４４，４６の対向面には、収納空間５０に配設された収納容器１４の側面を摺動可能に支持する摺動レール８５が配設されている。また、縦仕切壁４６と冷蔵室２２の他方側壁との対向面には、チルド空間５２に配設されたチルド容器１５の側面を摺動可能に支持する摺動レール８６が配設されている。
【００１８】
そして、上記のような構成の冷蔵庫１０において、冷蔵室２２と野菜室２４とを仕切る仕切体４０は、図１〜図３に示すように、冷蔵庫幅方向に２分割され、タンク空間４８及び収納空間５０の底面を構成する一方の仕切部材（左側仕切部材）５４と、チルド空間５２の底面を構成する他方の仕切部材（右側仕切部材）５６とから構成されている。この仕切体４０の前面は、冷蔵庫本体１１の左右の側壁に架け渡された仕切カバー４１により覆われている。
【００１９】
左側仕切部材５４は、図４に示すように、冷蔵空間２０の内部形状に合わせて所定形状に成形された板状の部材であって、貯水タンク１３が載置されるタンク載置面５８と、収納容器１４が載置される容器載置面６０と、タンク載置面５８の後方に配置されポンプ室６２とが形成されている。
【００２０】
ポンプ室６２には、タンク載置面５８に載置された貯水タンク１３から製氷水を自動製氷装置へ給水する給水ポンプ１６が収納されている。給水ポンプ１６には、駆動電源を入力するための電気配線７４が接続されており、この電気配線７４がポンプ室６２から引き出され左側仕切部材５４に付設され、冷蔵庫本体１１の背面下部に配設された不図示の制御部に接続されている。
【００２１】
ポンプ室６２と容器載置面６０との間には、縦仕切壁４４を配設する受部６４が上方に突設されており、受部６４に設けられた係止穴６４ａに縦仕切壁４４の爪部（不図示）を係止することで、受部６４に縦仕切壁４４が配設固定される。
【００２２】
また、左側仕切部材５４における右側仕切部材５６と対向する側端部（図２〜図４において右側端部）には、縦仕切壁４６を配設する受部６６が上方に突設されており、受部６６に設けられた係止穴６６ａに縦仕切壁４６の爪部（不図示）を係止することで、受部６６に縦仕切壁４６が配設固定される。受部６６の下面には、上方に開口する断面コ字状をなした棒状の補強部材６８が配設されている。この補強部材６８の両端部は、仕切カバー４１及びダクトカバー１８に支持されている。
【００２３】
左側仕切部材５４の右側面には、右側仕切部材５６の左側端部を載置する支持部７０が
外方（右方）へ向かって延設されている。支持部７０の上面は、容器載置面６０の上面より低い位置に設けられており、冷蔵庫前後方向に延びる凹溝７２が形成されている。
【００２４】
左側仕切部材５４の前端面には、仕切カバー４１に設けられた係止穴４１ａに係止する爪部７６が設けられている。
【００２５】
上記のような左側仕切部材５４は、図３及び図６に示すように、左側端部が冷蔵室２２の左側壁より内方に向かって突出する凸部１７に支持され、後端部が冷蔵室２２の背面を構成するダクトカバー１８より内方に向かって突出する突部１８ａに支持され、前端部が仕切カバー４１に設けられた係止穴４１ａに爪部７６が係止されることで、冷蔵庫本体１１に配設される。
【００２６】
右側仕切部材５６は、例えば、ポリスチレン等の透明材料からなり、冷蔵空間２０の内部形状に合わせて所定形状に成形された板状の部材である。図５に示すように、右側仕切部材５６の上面には冷蔵庫前後方向に延びる一対の突条８０が冷蔵庫幅方向に所定間隔をあけて上方に突設されており、一対の突条８０がチルド容器１５の底面を摺動可能に支持する。右側仕切部材５６の左側面には、左側仕切部材５４に設けられた支持部７０に載置される係止部８２が外方（左方）へ向かって延設されている。係止部８２の下面には、足部８３が下方に向けて延設されており、係止部８２を支持部７０に載置した状態で、足部８３が凹溝７２の底面に当接する（図３参照）。
【００２７】
右側仕切部材５６の前端面には、仕切カバー４１に設けられた係止穴４１ｂに係止する爪部８４が設けられている。
【００２８】
上記のような右側仕切部材５６は、図３及び図７に示すように、右側端部が冷蔵室２２の右側壁より内方に向かって突出する凸部１９に支持され、左側端部が左側仕切部材５４に設けられた支持部７０に係止部８２を載置することで支持され、後端部がダクトカバー１８より内方に向かって突出する突部１８ｂに支持され、前端部が仕切カバー４１に設けられた係止穴４１ｂに爪部８４が係止されることで、冷蔵庫本体１１に配設される。
【００２９】
本実施形態では、仕切体４０が左右に２分割され一対の仕切部材から構成され、左側仕切部材５４に縦仕切壁４４，４６を配設するとともに、左側仕切部材５４の右側面に設けた支持部７０の上面に、右側仕切部材５６の左側面に設けた係止部８２を載置するように構成しているので、右側仕切部材５６は、爪部８４と係止穴４１ｂとの係止を解除することで、冷蔵庫本体１１より取り外される。
【００３０】
以上のように、本実施形態の冷蔵庫１０では、冷蔵室２２と野菜室２４とを仕切る仕切体４０が左右に２分割され左側仕切部材５４と右側仕切部材５６とから構成され、左側仕切部材５４に電気配線を配設し、右側仕切部材５６を冷蔵庫本体１１に取り外し可能に配設している。このように一方の仕切部材５４に電気配線を集中させているため、使用者が他方の仕切部材５６を安全に取り外すことができ、仕切体４０の掃除が容易となる。
【００３１】
しかも、一方の仕切部材５４に冷蔵室２２の下部に設けられた空間を冷蔵庫幅方向に区画する縦仕切壁４４，４６を一方の仕切部材５４に設け、一方の仕切部材５４に他方の仕切部材５６を上方より載置するように構成しているため、縦仕切壁４４，４６や一方の仕切部材５４が、他方の仕切部材５６を取り外す際に干渉することがなく、取り外し作業が容易となる。
【００３２】
また、他方の仕切部材５６は透明体で構成されているため、野菜室扉２５を開扉することなく冷蔵室２２から他方の仕切部材５６を通して野菜室２４内部を視認することができ、使い勝手を向上することができる。
【００３３】
また、本実施形態の冷蔵庫１０では、他方の仕切部材５６の側端部を下面より支持する支持部７０が一方の仕切部材５４の側面に配設されており、この支持部７０に冷蔵庫前後方向に延びる凹溝７２が形成されている。本実施形態では仕切体４０が分割されているが、チルド空間５２内にこぼれた液体が一方の仕切部材５４と他方の仕切部材５６との合わせ部をつたっていくことがあっても、該液体が凹溝７２に滞留し野菜室２４へ至ることがない。また、チルド空間５２内に液体がこぼれた場合、他方の仕切部材５６を取り外せば凹溝７２に溜まった液体を拭き取ることができる、容易に清掃することができる。
【００３４】
また、本実施形態の冷蔵庫１０では、補強部材６８が縦仕切壁４６の下方に配置され一方の仕切部材５４に配設されているため、縦仕切壁４６の上面に載置棚を兼ねた天板４２を配設した場合に、縦仕切壁４６を介して天板４２及びその上面に載置された貯蔵物の重量が仕切体４０に作用しても、仕切体４０が撓みにくくなり、高品質な冷蔵庫が得られる。
【００３５】
なお、上記した本実施形態では、右側仕切部材５６は、前端部のみに設けた爪部８４を仕切カバー４１に係止させることで冷蔵庫本体１１に固定するように構成したが、例えば、前端部だけでなく左側端部及び後端部にも爪部を設け、冷蔵室２２の右側壁及びダクトカバーに設けた係止穴に該爪部を係止させることで、冷蔵庫本体１１に固定するように構成してもよい。
【符号の説明】
【００３６】
１０…冷蔵庫            １１…冷蔵庫本体（断熱箱体）  １３…貯水タンク
１４…収納容器          １５…チルド容器              １６…給水ポンプ
１８…ダクトカバー      ２０…冷蔵空間                ２１…冷凍空間
２２…冷蔵室            ２４…野菜室                  ２６…製氷室
２８…小型冷凍室        ３０…冷凍室                  ４０…仕切体
４１…仕切カバー        ４４…縦仕切壁                ４６…縦仕切壁
４８…タンク空間        ５０…収納空間                ５２…チルド空間
５４…左側仕切部材      ５６…右側仕切部材            ５８…タンク載置面
６０…容器載置面        ６２…ポンプ室                ６８…補強部材
７０…支持部            ７２…凹溝                    ７４…電気配線
８２…係止部            ８３…足部                    ８４…爪部
【図１】
2011012884.tif 000003
【図２】
2011012884.tif 000004
【図３】
2011012884.tif 000005
【図４】
2011012884.tif 000006
【図５】
2011012884.tif 000007
【図６】
2011012884.tif 000008
【図７】
2011012884.tif 000009